(57)【要約】      （修正有）【課題】従来の空気調和機は、上下風向調整板が吹出し口の左右どちらか一方に偏り、上下風向調整板が閉塞された状態で吹出し口の一方にのみ隙間が目立ち、空気調和機の外観上の見映えが悪くなる問題があった。【解決手段】風向調整板６の長手方向中間の位置で風向調整板に設けられた羽根側支持体１４に形成された軸受１４ａと、この軸受に嵌合して、風向調整板を回動自在に支持する中間軸２２が形成された中間軸体１９と、吹出し口に設けられ、中間軸体を固定する固定孔１６ａが形成された本体側支持体１６と、中間軸体に形成され、羽根側支持体と本体側支持体との間に配置される規制片２０と、中間軸の延伸方向とは反対となる本体支持体方向に延伸するように中間軸体に形成され、固定孔に嵌合されて中間軸体を固定孔に固定する固定片２１と、風向調整板に設けられ、羽根側支持体との間に本体側支持体が位置するように配置された規制板１７と、を備えた。【選択図】図４
2008261564.tif 000002
【特許請求の範囲】
【請求項１】
室内に調和空気を吹出す吹出し口に配置されるとともに回動自在に支持され、前記吹出し口から吹出す調和空気の吹出し方向を回動して変更する風向調整板と、
この風向調整板の長手方向中間の位置で前記風向調整板に設けられた羽根側支持体に形成された軸受と、
この軸受に嵌合して、前記風向調整板を回動自在に支持する中間軸が形成された中間軸体と、
前記吹出し口に設けられ、この中間軸体を固定する固定孔が形成された本体側支持体と、
前記羽根側支持体の方向に延伸する前記中間軸の径方向に前記中間軸より外方に突出するように前記中間軸体に形成され、前記羽根側支持体と前記本体側支持体との間に配置される規制片と、
この規制片から前記本体側支持体の方向に延伸するように前記中間軸体に形成され、突端が前記固定孔を突き抜け、外側面が前記固定孔の内周面に密着するように前記固定孔に嵌合されて前記中間軸体を前記固定孔に固定する固定片と、
前記風向調整板の長手方向に前記羽根側支持体と所定の間隔を置いて前記風向調整板に設けられ、前記羽根側支持体との間に前記本体側支持体が位置するように配置された規制板と、
を備え、          
前記風向調整板の長手方向の一方向は前記羽根側支持体が前記規制片に接触し、他方向は前記規制板が前記固定孔を突き抜けた前記固定片の突端に接触して、前記風向調整板の移動を規制することを特徴とする空気調和機。
【請求項２】
前記中間軸体に形成され、前記固定片の外側面より外方に突出し、前記本体側支持体の前記規制片が位置する側とは反対側で前記固定孔の周縁に掛かかることで前記固定孔からの前記固定片の抜けを防止する爪部を備え、
前記固定片が弾性変形することで前記爪部が前記固定孔を通過して、前記固定片が前記固定孔に嵌合されることを特徴とする請求項１に記載の空気調和機。
【請求項３】
室内に調和空気を吹出す吹出し口に配置されるとともに回動自在に支持され、前記吹出し口から吹出す調和空気の吹出し方向を回動して変更する風向調整板と、
この風向調整板の長手方向中間の位置で前記風向調整板に設けられた羽根側支持体に形成された軸受と、
この軸受に嵌合して、前記風向調整板を回動自在に支持する中間軸が形成された中間軸体と、
前記吹出し口に設けられ、この中間軸体を固定する固定孔が形成された本体側支持体と、
前記羽根側支持体の方向に延伸する前記中間軸の径方向に前記中間軸より外方に突出するように前記中間軸体に形成され、前記羽根側支持体と前記本体側支持体との間に配置される規制片と、
この規制片から前記本体側支持体の方向に延伸するように前記中間軸体に形成され、外周面が前記固定孔の内周面に密着するように前記固定孔に嵌合されて前記中間軸体を前記固定孔に固定する固定軸と、
前記規制片と所定の距離を置いて、前記固定軸の径方向に前記固定軸の外周から前記固定軸の外方に突出するように前記中間軸体に形成され、前記本体側支持体の前記規制片が位置する側とは反対側で前記固定孔の周縁に掛かかることで前記固定孔からの前記固定軸の抜けを防止する掛かり壁と、
前記固定孔を取り囲む前記本体側支持体の外壁部に前記固定軸の外径より小さい幅で切欠かれ、前記外壁部が弾性変形して前記幅を拡大することで前記固定軸の前記掛かり壁と前記規制片の間の部位を通過させ、前記固定軸を前記固定孔に嵌合させる切欠き部と、
前記風向調整板の長手方向に前記羽根側支持体と所定の間隔を置いて前記風向調整板に設けられ、前記羽根側支持体との間に前記本体側支持体が位置するように配置された規制板と、
を備え、
前記風向調整板の長手方向の一方向は前記羽根側支持体が前記規制片に接触し、他方向は前記規制板が前記固定軸の突端に接触して、前記風向調整板の移動を規制することを特徴とする空気調和機。
【請求項４】
前記軸受に、前記中間軸の外径より小さい幅で切欠かれ、前記軸受が弾性変形して、前記幅を拡大することで前記中間軸を通過して、前記中間軸を前記軸受に嵌合させる軸受切欠き部を形成したことを特徴とする請求項１から請求項３のいずれかに記載の空気調和機。
【請求項５】
前記中間軸体は、自己潤滑性のある樹脂により一体的に成形されていることを特徴とする請求項１から請求項４に記載のいずれかに記載の空気調和機。
【請求項６】
室内に調和空気を吹出す吹出し口に配置され、前記吹出し口から吹出す調和空気の吹出し方向を回動して変更する風向調整板を、この風向調整板の長手方向中間の位置で、前記吹出し口に設けられた本体側支持体に形成される固定孔に固定された中間軸体が有する中間軸を、前記風向調整板に設けられた羽根側支持体に形成された軸受に嵌合して成る中間支持部により回動自在に支持する風向調整板の中間支持部の組立方法であって、
前記羽根側支持体の方向へ延伸する前記中間軸とは反対に前記本体側支持体の方向に延伸するように前記中間軸体に形成され、外側面に外方に突出して前記固定孔の周縁に掛かる爪部を有する固定片を、内側に傾斜するように弾性変形させるステップと、
前記固定片を弾性変形させた状態で前記固定孔に前記爪部を通過させ、前記固定片を前記固定孔に嵌合して前記中間軸体を前記固定孔に固定するステップと、
前記軸受に前記中間軸の外径より小さい幅で切欠かれた切欠き部を前記中間軸の外周面に押しつけるステップと、
前記切欠き部を前記中間軸の外周面に押しつけることで前記軸受を弾性変形させて前記切欠き部の幅を拡大するステップと、
前記切欠き部を引き続き前記中間軸の外周面に押しつけ、前記中間軸を乗り越えさせて前記中間軸を前記軸受に嵌合するステップと、
を備えたことを特徴とする風向調整板の中間支持部の組立方法。
【発明の詳細な説明】
【技術分野】
【０００１】
この発明は、吹出し口に位置する風向調整板により、室内への調和空気の吹出し方向を変更可能とする空気調和機に関し、特に風向調整板の中間支持構造および風向調整板の中間支持部の組立方法に係わるものである。
【背景技術】
【０００２】
一般に空気調和機の室内機には、調和された空気を室内に吹出すための横方向に長い吹出し口が形成されている。そしてこの吹出し口の前部には回動可能に支持され、調和空気の吹出し方向を上下に偏向する横方向に長い上下風向調整板が吹出し口を横断するように設置されている。上下風向調整板は細長い矩形形状であり、その長手方向両端を吹出し口の左右両壁部に支持させただけでは中央部が自重で撓んでしまうため、これを回避するように、従来の空気調和機は、上下風向調整板の長手方向両端だけでなく中間部においても軸と軸受から成る支持構造を備えて上下風向調整板を回動可能に支持している。（例えば、特許文献１参照）。
【０００３】
また吹出し口の端側に立設された板片に、上下風向調整板の長手方向端部を回動可能に支持するためのＵ字状の軸受溝を形成し、この軸受溝内に、自己潤滑性のある低摩擦の樹脂から形成され、両側にフランジ部を有するＨ形状のスリーブブッシュを嵌合し、上下風向調整板の端部に形成された回転軸をこのスリーブブッシュの内周に嵌入することで、スリーブブッシュを軸受溝に摺動させて上下風向調整板を回動可能に支持する空気調和機もある。（例えば、特許文献２参照）。
【０００４】
また吹出し口側に設けられた中間支持板に形成され、上下風向調整板の長手方向に伸長する中間支軸の外側に低摩擦抵抗材料でなるスリーブを装着し、このスリーブが装着された中間支軸を上下風向調整板側に設けられた中間軸受に嵌め合わせて、上下風向調整板の中間支持部を構成する空気調和機もある。（例えば、特許文献３参照）。
【０００５】
一般に上下風向調整板は樹脂により成形されているが、成形のばらつきや暖房運転時の温風による熱膨張（伸び）を考慮し、長手方向の長さは、吹出し口の横方向の長さよりも幾ばくか短くしている。
【０００６】
【特許文献１】特開平５−２０３２５４号公報（００１５欄〜００３１欄、図１〜図６）
【特許文献２】特開平１１−３０４２３４号公報（００１０欄、００１１欄、００６３欄、００６４欄、図１０、図２７）
【特許文献３】特開平１１−２７０８９６号公報（００２６欄、図５）
【発明の開示】
【発明が解決しようとする課題】
【０００７】
上記の特許文献１に開示される従来の空気調和機では、上下風向調整板の中間部における支持構造が、吹出し口に立設した中間支持体の端部に形成された中間軸受に、上下風向調整板に部分的に形成された中間軸を嵌入して回動自在に支持するようにしているが、中間軸受や中間軸の潤滑性が乏しいため、両者の摺動性が悪く、上下風向調整板が滑らかに回動しなかったり、運転時間の経過とともに中間軸受や中間軸が摩耗したりするという問題が生じる。
【０００８】
また中間軸受に対して中間軸が上下風向調整板の長手方向に移動可能であるため、長手方向の長さを幾ばくか吹出し口の横方向の長さよりも短くしている上下風向調整板が、吹出し口の左右どちらか一方に偏る状態も起こり得て、そのように一方に偏ると空気調和機停止時の上下風向調整板が閉塞された状態で吹出し口の一方にのみ隙間が目立ち、空気調和機の外観上の見映えが悪くなったり、回動時には上下風向調整板の偏った側の長手方向の端面と吹出し口壁面が接触して摩擦抵抗が加わることで円滑な回動ができなくなったりするいという問題も生じる。
【０００９】
上記の特許文献２に開示される従来の空気調和機では、自己潤滑性のある材料から成るスリーブブッシュを軸受溝に摺動させることで、上下風向調整板の回動の摺動性改善が図れるが、特許文献２では上下風向調整板の中間部での支持構造がなく、上下風向調整板の中央部が自重で撓んでしまうという問題が生じる。また中間部での支持構造がないため、上下風向調整板が吹出し口の左右どちらか一方に偏る状態も起こり得て、上記と同様に空気調和機停止時の上下風向調整板が閉塞された状態で吹出し口の一方にのみ隙間が目立ち、空気調和機の外観上の見映えが悪くなるという問題が生じる。
【００１０】
またこのスリーブブッシュを使用した支持構造を上下風向調整板の中間部に適用しようとしても、吹出し口に設置されることになる軸受溝にＨ形状のスリーブブッシュが位置決めされるだけであって、上下風向調整板は上下風向調整板に設けた回動軸がスリーブブッシュから抜ける方向へは移動可能であるので、上下風向調整板がその方向に偏る状態も起こり得て、そのように一方へ偏ると空気調和機停止時の上下風向調整板が閉塞された状態で片側にのみ隙間が目立ち、空気調和機の外観上の見映えが悪くなる。スリーブブッシュを回動軸に一体的に固定すればスリーブブッシュに対して上下風向調整板が移動しなくなるが、そのためには回動軸をスリーブブッシュに圧入しなければならず、そして圧入するには治具等を用いて行わなければならないので、組立作業性が悪くなるという問題が生じる。
【００１１】
また上記の特許文献３に開示される従来の空気調和機では、中間支軸の中間支持板と反対側の端部が開放端で、中間軸受がこの中間支軸の開放端側から抜ける方向へは上下風向調整板は移動可能であるので、スリーブを固着させないと、装着する際にスリーブを中間支軸に上下風向調整板がその方向に偏る状態も起こり得て、そのように一方へ偏ると空気調和機停止時の上下風向調整板が閉塞された状態で片側にのみ隙間が目立ち、空気調和機の外観上の見映えが悪くなる。またスリーブを中間支軸に装着する際には、スリーブを中間支軸に固着する必要があり、そのためには、中間支軸をスリーブに圧入しなければならずそして圧入するには治具等を用いて行わなければならないので、組立作業性が悪くなるという問題が生じる。
【００１２】
この発明は上記のような問題点を解決するためになされたもので、風向調整板が円滑に回動でき、組立作業性にも優れ、また風向調整板の吹出し口に対する長手方向の位置決めができて空気調和機の外観上の見映えを良好な状態に維持する風向調整板の中間支持構造を備えた空気調和機を提供するものであり、また組立作業性に優れた風向調整板の中間支持部の組立方法を提供するものである。
【課題を解決するための手段】
【００１３】
この発明に係わる空気調和機は、室内に調和空気を吹出す吹出し口に配置されるとともに回動自在に支持され、吹出し口から吹出す調和空気の吹出し方向を回動して変更する風向調整板と、この風向調整板の長手方向中間の位置で風向調整板に設けられた羽根側支持体に形成された軸受と、この軸受に嵌合して、風向調整板を回動自在に支持する中間軸が形成された中間軸体と、吹出し口に設けられ、この中間軸体を固定する固定孔が形成された本体側支持体と、羽根側支持体の方向に延伸する中間軸の径方向に中間軸より外方に突出するように中間軸体に形成され、羽根側支持体と本体側支持体との間に配置される規制片と、この規制片から本体側支持体の方向に延伸するとともに、突端が固定孔を突き抜け、外側面が固定孔の内周面に密着するように固定孔に嵌合されて中間軸体を固定孔に固定する固定片と、風向調整板の長手方向に羽根側支持体と所定の間隔を置いて風向調整板に設けられ、羽根側支持体との間に本体側支持体が位置するように配置された規制板と、を備え、風向調整板の長手方向の一方向は羽根側支持体が規制片に接触し、他方向は規制板が固定孔を突き抜けた固定片の突端に接触して、風向調整板の移動を規制するものである。
【発明の効果】
【００１４】
この発明によれば、風向調整板の吹出し口に対する長手方向の位置決めができて空気調和機本体の外観上の見映えを良好な状態に維持することができるとともに、風向調整板の取付け作業において、信頼性の高い組立作業性が容易に短時間でできる空気調和機が得られる効果がある。  
【発明を実施するための最良の形態】
【００１５】
実施の形態１．
この発明の実施の形態１における空気調和機を図１〜図５に基づいて説明する。図１はこの実施の形態１における空気調和機本体の斜視図であり、図２は図１の空気調和機の要部（図１に示すＡ部）斜視図で、上下風向調整板６の中間支持構造を示す。また図３は図１に示す空気調和機の縦断面図であり、図４は図２に示す中間支持構造を説明するための説明用分解図、図５は同じく図２に示す中間支持構造を説明するための説明用断面図である。
【００１６】
図１および図３に示すように空気調和機の室内機本体１は、前面の吸込み口３０を挟んで上部と下部に２つの吹出し口３１、３２を備える床置き式のものである。本体１の前面には前面パネル１２が固定され、この前面パネル１２に開閉可能に取付けられた吸込みグリル１１に被われて本体１内に室内の空気を吸込む吸込み口３０が開口する。この吸込み口３０から吸込まれた空気は熱交換器２により熱交換され、調和空気となって送風機３によりケーシング４が形成する送風路を通過して、本体１の前面で本体１の横方向に細長く開口する上部吹出し口３１および下部吹出し口３２から室内に吹出される。
【００１７】
上部吹出し口３１の奥側には、室内へ吹出す調和空気の左右方向の角度を適宜変更可能とする複数の左右風向調整ベーン７が、上部吹出し口３１の横方向に所定の間隔をあけて設置されている。上部吹出し口３１の手前側、すなわち複数の左右風向調整ベーン７の前方には、回動自在に支持され、室内へ吹出す空気の上下方向の角度を適宜変更可能とする上下風向調整板６が上部吹出し口３１の前後に２枚設置されている。
【００１８】
左右風向調整ベーン７と上下風向調整板６との間には、格子状のファンガード９が取付けられており、送風機３に人の手が触れたり、本体１内部へ物が侵入したりしないように防いでいる。ファンガード９はこの位置に限るものではなく、左右風向調整ベーン７の奥側で、左右風向調整ベーン７と送風機３の間に配置されていてもよい。
【００１９】
上下風向調整板６は細長い矩形形状で、その短手方向に切断した断面は背面側が凸状になるように湾曲した形状となっており、本体１の停止時など上下風向調整板６が閉塞している時には、この凸状である背面が室内に面するようになる。
【００２０】
上下風向調整板６は樹脂で成形しており、通常その長手方向の長さは、成形のばらつきや暖房運転時に温風が当たり熱膨張して伸びることを考慮して、横方向に細長い上部吹出し口３１の横方向の長さよりも短くしている。この上下風向調整板６では、その長手方向の長さは上部吹出し口３１の横方向の長さより４〜６ｍｍ（上部吹出し口３１との片側の隙間が２〜３ｍｍとなる）程度短くしている。一般的な上下風向調整板ではこの長手方向の長さが吹出し口の横方向の長さより短い距離が２〜１２ｍｍの間のものが多く、この上下風向調整板６の長手方向の長さが吹出し口の横方向の長さより短い距離も４〜６ｍｍに限るものではない。
【００２１】
上部吹出し口３１はケーシング４とノズル５が外郭の一部となって形成される。ノズル５は熱交換器２の上方に位置しており、ファンガード９は下部をノズル５に、上部をケーシング４に係止して固定されている。熱交換器２の下方には熱交換器２の表面に付着し滴下するドレン水を受けるドレンパン８が設置されている。滴下したドレン水はドレンパン８から図示されないドレンホースを経由して室外に排水される。
【００２２】
下部吹出し口３２は上部吹出し口３１と同様に横方向に細長く、ケーシング４とドレンパン８が外郭となって形成され、前面のシャッター１３の開閉により開口したり閉塞したりする。また吸込み口３０の吸込みグリル１１と熱交換器２の間には、吸込む空気に含まれる埃などの異物を除去するためのエアーフィルター１０が着脱可能に設置されている。
【００２３】
次に回動自在に支持される上下風向調整板６の支持構造について説明する。上下風向調整板６は前述の通り、回動することで上部吹出し口３１から吹出される調和空気の吹出し方向を上下に偏向するとともに、本体１が停止されると、その背面側が室内に面するように回動して停止し、本体１の停止時に上部吹出し口３１を閉塞する。
【００２４】
上下風向調整板６は、長手方向の両端および略中央の中間にて、それぞれ一端支持部３３、他端支持部３４および中間支持部３５により回動自在に支持されている。両端の支持部３３、３４は図示しないが、上下風向調整板６の湾曲形状の内側となる腹側の端にそれぞれ立設された支持板に固定された自己潤滑性樹脂から成る回動軸が、上部吹出し口３１を形成する外郭の左右壁面に設けられた軸受穴に嵌合され、それにより上下風向調整板６の回動が支持される。両端の支持部３３、３４の回動軸は上部吹出し口３１の左右壁面に向かって互いに反対となる方向に支持体より突出するが、軸中心は同軸であり、その軸中心が上下風向調整板６の回動中心となる。
【００２５】
一端支持部３３においては、上部吹出し口３１の壁面の軸受穴に支持される回動軸が、図示されない駆動モータと接続しており、この駆動モータが駆動することで、上下風向調整板６が所定の回動範囲で回動する。この本体１には上部吹出し口３１の前後に２枚の上下風向調整板６が設置されているが、それぞれの上下風向調整板６に駆動モータを備え付けてもよいし、一方の上下風向調整板６にのみ駆動モータを備え付け、２枚の上下風向調整板６をカムで連結させることで、２枚の上下風向調整板６が連動して同じ動きの回動をするようにしてもよい。
【００２６】
なお、一端支持部３３および他端支持部３４において、支持板に自己潤滑性樹脂から成る回動軸を固定したが、回動軸に自己潤滑性を保有させずに、軸受穴の内周に自己潤滑性樹脂から成るスリーブを固定して、そのスリーブに回動軸を嵌合して摺動させるようにしてもよい。
【００２７】
続いて本発明の特長的部分である中間支持部３５の支持構造について説明する。中間支持部３５で上下風向調整板６の略中央部を支持することにより、上下風向調整板６の中央部が自重で撓んでしまうことを防いでいる。この中間支持部３５の支持構造がなく、両端の支持部３３、３４だけの支持として上下風向調整板６の中央部が撓んでしまうと、両端の支持部３３、３４の回動軸が傾斜して、軸受穴に片当たりして回動が滑らかでなくなったり、本体１の停止時等の上下風向調整板６が閉塞しているときに室内機本体１の外観上の見映えが悪くなったりしてしまうといった不具合が生じる。この上下風向調整板６は中間支持部３５にて略中央部を支持することで、これらの不具合の発生が回避されている。
【００２８】
なお、この本体１では中間支持部３５を上下風向調整板６の略中央に１ヶ所だけ配置しているが、上下風向調整板６の長手方向に適度な間隔で複数配置してもよい。
【００２９】
中間支持部３５は、上部吹出し口３１に設けられ、端部に固定孔１６ａが形成された本体側支持体１６と、上下風向調整板６の腹側に上下風向調整板６と一体的に設けられ、その上側端部に一部が切欠かれてＣ形形状となる軸受１４ａが形成された羽根側支持体１４と、同じく上下風向調整板６の腹側に、羽根側支持体１４と長手方向に所定の間隔を置いて上下風向調整板６と一体的に設けられた規制板１７と、円板状の規制片２０を挟んで互いに反対方向に延伸する上記の固定孔１６ａに挿入される固定片２１と軸受１４ａに嵌合する中間軸２２が一体的に形成された、本体１や上下風向調整板６とは別体の中間軸体１９で構成される。
【００３０】
本体側支持体１６は樹脂製で、上部吹出し口３１の外郭の一部を成す樹脂製のノズル５に一体的に成形される。そして固定孔１６ａの中心は、上下風向調整板６の長手方向両端の支持部３３、３４で上部吹出し口３１の左右壁面に設けられた軸受穴の中心とほぼ同心となる。この実施の形態に示す本体１では、上部吹出し口３１の前後に２枚の上下風向調整板６を配置していて、それぞれの上下風向調整板６に対応する本体側支持体１６がノズル５上で連結しているが、それぞれが別個にノズル５から立設していてもよい。
【００３１】
本体支持体１６は上下風向調整板６の回動の障害とならないように、固定孔１６ａが形成された端部とノズル５側の台座部が、上下風向調整板６の奥側（左右風向調整ベーン７寄りの側）に位置し、上下風向調整板６の奥側に向かってＬ字状やくの字状等に屈曲した連結部で一体的に連結している。
【００３２】
羽根側支持体１４は樹脂製の上下風向調整板６と一体的に成形され、その上部に形成された軸受１４ａの中心は、上下風向調整板６の長手方向両端の支持部３３、３４で上下風向調整板６に立設された支持体に固定される回動軸の中心と同心となる。
【００３３】
規制板１７は羽根側支持体１４と同様に上下風向調整板６と一体的に成形されるもので、羽根側支持体１４の厚さ（上下風向調整板６長手方向の幅）よりも薄い板状片である。その高さ（上下風向調整板６長手方向に直交する方向の長さ）は、規制板１７の頂上が羽根側支持体１４の軸受１４ａの中心を越えるような寸法となっている。
【００３４】
中間軸体１９は自己潤滑性のある樹脂により一体的に成形される。規制片２０の一側からは中間軸２２が羽根側支持体１４の方向に延伸し、他側からは、本体側支持体１６の方向（中間軸２２が延伸する方向と反対方向）に固定片２１が延伸している。固定片２１は複数が立設していて、その複数の固定片２１は中空円筒にスリットが入っているように、それぞれの固定片２１の外側面は同心状で同じ外半径の周面となっているものである。複数の固定片２１を一つの円筒と見立てた場合、その中心は、規制片２０の一側に立設する中間軸２２の軸心と同心であり、またその外径は本体側支持体１６の固定孔１６ａの内径と同等かわずかに大きい径である。
【００３５】
固定片２１の反規制片２０側の端部である突端は、内側（複数の固定片２１を一つの円筒と見立てた場合、その中心側）に屈曲しており、屈曲する曲がり角の外側面は角状ではなく丸みを帯びた形状となっている。
【００３６】
固定片２１の突端近傍には、上記の内側への屈曲部から規制片２０側に向かって徐々に固定片２１の外方に突出していく、すなわち規制片２０側に向かって複数の固定片２１の外径より徐々に外径が大きくなる断面略直角三角形な爪部２３が固定片２１の外側面上に一体に形成されている。なお、ここで複数の固定片２１の外径とは、上記のように同心状に立設する複数の固定片２１を一つの円筒にスリットが入った状態と見立てた時のその円筒の外径を指すものであり、以降に使用する複数の固定片２１の外径についても同様である。
【００３７】
図５の断面が示すように、この実施の形態では中間軸２２は射出成形が容易となるため中空状である。ただし中間軸２２は中実の円柱であってもよい。中間軸２２の長さ（上下風向調整板６長手方向の長さ）は、嵌合する軸受１４ａの厚さ（上下風向調整板６長手方向の幅）よりも長いものである。
【００３８】
規制片２０は中間軸２２の外径、そして複数の固定片２１の外径よりも径の大きい円板状で、図５において中間軸２２の中空部分が規制片２０によって塞がれているが、規制片２０の中心部に中間軸２２の中空部分の径と同等以下の径の穴を形成して、中間軸２２の中空と複数の固定片２１の内側を連通させてもよい。規制片２０は中間軸２２の径方向に中間軸２２および複数の固定片２１より外方に突出してれば、中間軸２２と同心でなくてもよく、また円板状でなく部分的に複数の板が中間軸２２および複数の固定片２１より外方に突出するように形成されたものであってもよい。規制片２０は本体側支持部１６と羽根側支持部１４の間に配置される。
【００３９】
軸受１４ａの内径は、中間軸２２が回動自在となるのに要する程度のわずかな隙間が中間軸２２外周との間に形成できる寸法差だけ中間軸２２の外径より大きい寸法である。図５に示すように本実施の形態では、中間軸体１９の中間軸２２の外径と複数の固定片２１の外径が略等しくなっているが、両者を異なる径で形成してもよい。
【００４０】
これらの構成部品から成る中間支持部３５の支持構造は、図５に示すように、本体側支持体１６の固定孔１６ａに固定片２１を挿入し、固定片２１の外側面が固定孔１６ａの内周面に密着するように複数の固定片２１を固定孔１６ａに嵌合させることで本体側支持体１６に固定した中間軸体１９の中間軸２２を、羽根側支持体１４の軸受１４ａに嵌合させて、固定された中間軸体１９の中間軸２２が上下風向調整板６の回動により回動する軸受１４ａを支持することで成り立っている。
【００４１】
なお、軸受１４ａは一部が切欠かれてＣ形形状となっており、その軸受切欠き部１４ｂは、上部吹出し口３１の奥側に向いて切欠かれている。そして軸受切欠き部１４ｂの切欠かれた幅は、この軸受１４ａに嵌合される中間軸２２の外径より小さいものである。軸受１４ａが有する軸受切欠き部１４ｂは軸受１４ａ内周面と羽根側支持体１４の外面に臨み、軸受１４ａ内側と羽根側支持体１４の外側を連通している。なお、実際に成形後の軸受１４ａを切欠いて軸受切欠き部１４ｂを形成するのではなく、羽根側支持体１４の成形時、すなわち上下風向調整板６の成形時に軸受切欠き部１４ｂが形成されるような形状に成形するものである。
【００４２】
複数の固定片２１の外径は本体側支持体１６の固定孔１６ａの内径と同等かわずかに大きい径であるので、複数の固定片２１が固定孔１６ａに挿入されると、複数の固定片２１の外周面は固定孔１６ａ内周面に密着する。そのため固定片２１と固定孔１６ａ間では回動を支持するための実質的な摺動がなされることはなく、上下風向調整板６の回動による摺動の支持は中間軸２２と軸受１４ａ間にて行われる。また固定片２１の突端は爪部２３とともに、固定孔１６ａを突き抜け、固定孔１６ａから突出している。
【００４３】
なお、爪部２３の端面と規制片２０の端面（固定片２１側）の双方を本体支持体１６に密着させ、爪部２３と規制片２０により本体支持体１６を上下風向調整板６の長手方向に挟持するようにすれば本体支持体１６への中間軸体１９の固着力を増すことができる。しかし上記のように、固定片２１の固定孔１６ａへの嵌合による複数の固定片２１外側面と固定孔１６ａ内周面との密着にて中間軸体１９は本体支持体１６への固定できるので、爪部２３と規制片２０端面間が本体側支持体１６に対して上下風向調整板６長手方向の隙間を有していてよい。
【００４４】
ただし中間軸体１９を上下風向調整板６の長手方向にスライドさせた時に、爪部２３が本体支持体１６の側面（固定孔１６ａの周縁）に引っ掛かって、固定片２１が固定孔１６ａから抜けるのを防止できなければ、すなわち中間軸体１９が本体支持体１６から外れないようでなければならない。
【００４５】
ここで図５に示す寸法Ｌは、規制片２０の端面（中間軸２２側）から固定片２１の突端までの距離であり、寸法Ｍは、羽根側支持体１４の端面（規制板１７側）から規制板１７の端面（羽根側支持体１４側）までの距離である。この寸法Ｍが上記の寸法Ｌよりもわずかに大きい長さとなるように中間軸体１９と上下風向調整板６をそれぞれ成形する。
【００４６】
そして寸法Ｍが寸法Ｌよりわずかに大きい長さ（ＭからＬを引いた値）とは、上下風向調整板６の長手方向の長さが上部吹出し口３１の横方向の長さより短くしている距離（上部吹出し口３１の横方向の長さから上下風向調整板６の長手方向の長さを引いた値）よりも小さい距離であって、その長さ（寸法Ｍが寸法Ｌよりわずかに大きい長さ）の半分の距離だけ上下風向調整板６が上部吹出し口３１の左右どちらか一方に偏ったとしても、上下風向調整板６閉塞時の本体１外観上の見映えが悪くないと許容できるレベルの長さである。
【００４７】
図５に示すように、本体側支持体１６の固定孔１６ａ部分と中間軸体１９の規制片２０および固定片２１が、上下風向調整板６の腹側で羽根側支持体１４と規制板１７との間（寸法Ｍ部分）に配置されるようにして、本体側支持体１６に固定された中間軸体１９の中間軸２２が羽根側支持体１４の軸受１４ａに嵌合される。このとき中間軸２２の規制片２０とは反対側の軸端は嵌合する軸受１４ａを突き抜け、軸受１４ａから突出する。
【００４８】
そしてこの状態において、上下風向調整板６は、上下風向調整板６の長手方向の一方向には羽根側支持体１４の端面（規制板１７側）が、中間軸体１９の規制片２０の端面（中間軸２２側）に接触することで、また他方（上記の一方向と反対の方向）には、規制板１７の端面（羽根側支持体１４側）が、固定孔１６ａを突き抜け、固定孔１６ａより長手方向に突出した固定片２１の突端に接触することで、長手方向の左右両方向への移動が規制される。上下風向調整板６の長手方向への移動可能な距離は、最大で上記したように図５の寸法Ｍが寸法Ｌよりわずかに大きい長さ分だけとなる。
【００４９】
中央支持部３５が上記したよう構造で支持することにより、上下風向調整板６が上部吹出し口３１横方向に対する位置が一方に偏らず中央となるように、本体側支持体１６のノズル５上の立設位置と、羽根側支持体１４および規制板１７の上下風向調整板６腹側への立設位置を設定する。
【００５０】
このため上下風向調整板６がその長手方向に最大で図５の寸法Ｍが寸法Ｌよりわずかに大きい長さ分だけ移動したとしても、上下風向調整板６が上部吹出し口３１の横方向左右どちらか一方へ偏る距離はその長さの半分だけである。そしてその上下風向調整板６が一方へ最大に偏れる距離となる寸法Ｍが寸法Ｌよりわずかに大きい長さの半分の距離というのは、上記したようにその距離だけ偏ったとしても上下風向調整板６閉塞時の本体１外観上の見映えは悪くないと許容できる小さい長さであるので、たとえ上下風向調整板６が移動可能な範囲でどちらか一方に移動しても本体１の外観上の見映えは良好な状態に維持される。
【００５１】
上記のように中間支持部３５の支持構造は、上部吹出し口３１の外郭の一部を成すノズル５上に立設する本体側支持体１６に固定された中間軸体１９と、上下風向調整板６の腹側に立設する羽根側支持体１４および規制板１７によって、上下風向調整板６の長手方向の移動が規制されるので、上下風向調整板６の上部吹出し口３１に対する長手方向の位置決めがなされ、空気調和機本体１の外観上の見映えを良好な状態に維持することができる。
【００５２】
次にこの中間支持部３５の組立方法を含めて上下風向調整板６の本体１、すなわち上部吹出し口３１への取付け方法について説明する。まず本体側支持体１６に中間軸体１９を固定するが、その方法は、中間軸体１９の複数の固定片２１の突端を固定孔１６ａの一方の側（組立完了時に規制片２０を挟んで羽根側支持体１４と対向する側）の周縁に押し当て、中間軸体１９の複数の固定片２１を内側に傾斜させるように少し弾性変形させる。
【００５３】
そしてそのまま中間軸体１９を押し当て方向に押し込めば、固定孔１６ａの内周が固定片２１の丸みを帯びた外側面から引き続いて固定片２１より徐々に外方に突出する爪部２３を固定孔１６中心方向に押さえつけ、それにより固定片２１が内側に傾斜するように弾性変形していくので、わずかな力を加えるだけで固定片２１を複数同時に固定孔１６ａに挿入することができる。爪部２３が固定孔１６ａを通過すると、爪部２３が押さえつけられたことでの弾性変形による固定片２１の内側への傾斜は解除される。
【００５４】
複数の固定片２１の外径は上記した通り、固定孔１６ａの内径と同等もしくはそれよりわずかに大きいので、爪部２３が固定孔１６ａを通過し複数の固定片２１の固定孔１６ａへの挿入が終わり、固定片２１が固定孔１６ａに嵌合されると、固定片２１の外周面が固定孔１６ａ内周面に放射方向（固定片２１が外側へ拡がろうとする方向）への力を伴って接触、すなわち密着し、そのため中間軸体１９が本体側支持体１６に固定される。
【００５５】
また挿入方向に更に押し込んでも規制片２０が本体側支持体１６に衝突して抜けることはなく、また挿入方向とは逆方向に引き抜こうとしても爪部２３の端面が固定孔１６ａの周縁に衝突し引っ掛かって抜けることはない。しかし複数の固定片２１の屈曲部がある突端近傍を同時に中心方向に押し込んで固定片２１を内側に傾斜させ、その状態で挿入方向とは反対方向に移動させようとすれば爪部２３の引っ掛かりが解除されて、固定片２１を固定孔１６ａから抜くことができる、すなわち中間軸体１９を本体側支持体１６から取り外すことができる。
【００５６】
本体側支持体１６への中間軸体１９の固定が完了したら、続いて上下風向調整板６の一端支持部３３（駆動モータが位置する側）の回動軸と軸受穴の嵌合を行い、すなわち一端支持部３３の支持構造を成立させ、その後上下風向調整板６の弾性を利用して上下風向調整板６をその長手方向に幾ばくか本体１の反対側（室内側）へ向けて湾曲（弾性変形）させ、上下風向調整板６の他端支持部３４（長手方向に一端支持部３３が位置する側とは反対側）の回動軸と軸受穴の嵌合を行い、すなわち他端支持部３４の支持構造を成立させる。一端支持部３３と他端支持部３４の支持構造を成立させる順序は逆であってもよい。
【００５７】
そして上下風向調整板６を長手方向の湾曲（弾性変形）を解除させる時に、羽根側支持体１４と規制板１７の間に本体側支持体１６と中間軸体１９の規制片２０と複数の固定片２１が位置するようにして（意図しなくても上記の通り本体側支持体１６と羽根側支持体１４および規制板１７はそのような位置関係となるようなに形成されている）、中間軸２２外周面にＣ形形状である羽根側支持体１４の軸受１４ａの軸受切欠き部１４ｂを押し当て、そのまま押しつける。
【００５８】
それにより中間軸２２の外周に沿って軸受切欠き部１４ｂの幅が中間軸２２の外径まで拡大するように羽根側支持体１４の軸受１４ａ部分が弾性変形し、軸受切欠き部１４ｂが中間軸２２を乗り越え、通過する。すなわち軸受１４ａが軸受切欠き部１４ｂから中間軸２２をくわえ込むようにして、中間軸２２を中間軸２２の側方から軸受１４ａに嵌合させる。中間軸２２の外径は上記したように軸受１４ａの内径より小さいので、中間軸２２が軸受１４ａの軸受切欠き部１４ｂを通過すれば羽根側支持体１４の弾性変形は解除され、中間軸２２が軸受１４ａに嵌合されるとともに、押しつけ方向と逆方向に上下風向調整板６を湾曲させるように変形させない限り中間軸２２は軸受１４ａから外れない。
【００５９】
以上により上下風向調整板６の本体１（上部吹出し口３１）への取付けが完了し、上記したように中間軸体１９と上下風向調整板６の羽根側支持体１４および規制板１７によって上下風向調整板６の長手方向の移動が規制され、上下風向調整板６の上部吹出し口３１に対する長手方向の位置決めがなされる。
【００６０】
中間支持部３５の組立方法において、中間軸体１９の本体側支持体１６への固定は、固定片２１の弾性変形を利用するので、圧入作業のように治具等を用いる必要もなく、人の手によりわずかな力を付与するだけで容易に短時間で行うことができるので、組立作業性に優れる。
【００６１】
また人の手により固定片２１を固定孔１６ａに挿入させる場合には、固定片２１の弾性変形を利用しているため、作業者は爪部２３が固定孔１６ａを乗り越えて固定片２１の弾性変形が開放され、爪部２３が固定孔１６ａ周縁に掛かる手応えを感じることができ、その手応えにより、固定片２１の固定孔１６ａへの嵌合、すなわち中間軸体１９が本体側支持体１６に固定されたことを知ることができるので、中間軸体１９が本体側支持体１６に確実に固定されていないにも係わらず次工程に進み、中間軸体１９が作業途中で本体側支持体１６から外れたり抜け落ちたりしてしまうという不具合が回避できる信頼性の高い組立作業が可能となる。
【００６２】
軸受１４ａの中間軸２２の嵌合も、中間軸２２の側方から、羽根側支持体１４の軸受１４ａ部の弾性変形を利用して人の手によりわずかな力を付与するだけで容易に短時間で行うことができるので、組立作業性に優れる。
【００６３】
また人の手により軸受１４ａに中間軸２２を嵌合させる場合に、羽根側支持体１４の弾性変形を利用しているため、作業者は中間軸２２が軸受１４ａの軸受切欠き部１４ｂを通過して羽根側支持体１４の弾性変形が開放され、中間軸２２が軸受１４ａへ嵌められた手応えを感じることができ、中間軸２２の軸受１４ａへの嵌合が完了したことを知ることができるので、確実に嵌合されていないという不具合が回避できる信頼性の高い組立作業が可能となる。
【００６４】
このように中間支持部３５の組立方法は、組立作業性に優れるとともに、中間軸体１９の外れや抜け落ちが発生したり、中間軸２２の軸受１４ａへの嵌合ができていなかったりするという不具合が回避できる信頼性の高い組立作業が可能となる。
【００６５】
上記のように取付け方法が容易であるので、上下風向調整板６の支持構造では、その工程を逆に進めることで、上下風向調整板６を容易に本体１から取り外すことが可能となる。すなわち上部吹出し口３１に取り付けられている上下風向調整板６を上下風向調整板６の弾性を利用して上下風向調整板６の長手方向に、室内側に向けて幾ばくか湾曲（弾性変形）させることで、軸受切欠き部１４ｂの内側が中間軸体１９の中間軸２２の外周面に接触し、軸受切欠き部１４ｂの幅が中間軸２２の外径まで拡大するよう軸受１４ａ部分が弾性変形し、軸受切欠き部１４ｂが軸受１４ａの内側から外側へと中間軸２２を乗り越え、通過する。
【００６６】
これにより軸受１４ａと中間軸２２の嵌合を解除し、軸受１４ａを中間軸２２から外すことができる。羽根側支持体１４の軸受１４ａ部分の弾性変形を利用しているので、わずかな力を付与するだけ容易に軸受１４ａを本体側支持体１６に固定された中間軸２２から取り外せる。
【００６７】
上下風向調整板６を長手方向に湾曲させたまま、他端支持部３４の支持構造を解除、すなわち他端支持部３４の軸受穴から回動軸を抜き、続いて上下風向調整板６の長手方向の湾曲を解除させて、一端支持部３３の支持構造を解除、すなわち一端支持部３３の軸受穴から回動軸を抜くことで、上部吹出し口３１から、すなわち本体１から上下風向調整板６を容易に取り外すことができる。なお、他端支持部３４と一端支持部３３の支持構造を解除する順序は逆であってもよい。
【００６８】
このように上下風向調整板６を容易に取り外すことができるので、上下風向調整板６のメンテナンス性が向上できるし、上下風向調整板６全体や上部吹出し口３１内部を容易に清掃することができる。
【００６９】
続いて中間支持部３５の動作について説明する。空調機本体１の起動時や停止時に、または運転中においても使用者の要求や空調機本体１の制御により上部吹出し口３１から吹出される調和空気の上下への吹出し方向の変更が必要となると、上下風向調整板６は一端支持部３３の回動軸に連結する駆動モータが駆動し、所定の回動範囲内で回動する。
【００７０】
回動するにあたって上下風向調整板６は、一端支持部３３と他端支持部３４にて、それぞれの回動軸が嵌合される軸受穴に回動摺動し、また中間支持部３５にて、軸受１４ａが嵌合する中間軸に回動摺動することで支持される。上下風向調整板６は中間支持部３５にて長手方向の中間においても支持されるので、中央部が自重により撓むことはない。
【００７１】
中間支持部３５においては、中間軸体１９は自己潤滑性のある低摩擦な樹脂により成形されているので、中間軸２２と軸受１４ａの摺動性がよく、上下風向調整板６が滑らかに回動できる。また摺動性がよいので、中間軸２２と軸受１４ａの摩耗が回避できる。
【００７２】
また上記した通り本体側支持体１６に固定された中間軸体１９と上下風向調整板６の羽根側支持体１４および規制板１７によって上下風向調整板６の長手方向の移動が規制され上下風向調整板６の位置決めがなされるが、その規制の範囲内で、たとえ上下風向調整板６が規制板１７の方向（図５において左方向）へ移動しても、中間軸体１９の規制片２０が本体側支持体１６と羽根側支持体１４との間に存在しており、羽根側支持体１４の端面が、低摩擦な自己潤滑性のある規制片２０の側面と接触するので、上下風向調整板６の回動によりその接触部が摺動しても、回動の抵抗とはならず上下風向調整板６の円滑な摺動は保障される。また羽根側支持体１４と規制片２０の摩耗も回避できる。
【００７３】
同様にその規制の範囲内で、たとえ上下風向調整板６が上記とは逆方向となる羽根側支持体１４の方向（図５において右方向）へ移動しても、規制板１７の端面が、低摩擦な自己潤滑性のある固定片２１の突端と接触するので、上下風向調整板６の回動によりその接触部が摺動しても、回動の抵抗とはならず上下風向調整板６の円滑な摺動は保障される。また規制板１７と固定片２１の突端の摩耗も回避できる。
【００７４】
そして中間軸体１９が規制板１７によって羽根側支持体１４側へ押されても、爪部２３が固定孔１６ａの周縁に引っ掛かかり、中間軸体１９の移動を規制するので、規制板１７と本体側支持体１６が接触してしまうことはない。
【００７５】
中間支持部３５の支持構造は以上のように構成されているので、上下風向調整板６が円滑に回動できるとともに、信頼性の高い組立作業性が容易に短時間でできる。また上下風向調整板６の上部吹出し口３１に対する長手方向の位置決めができて空気調和機本体１の外観上の見映えを良好な状態に維持することができる効果が得られる。
【００７６】
実施の形態２．
次にこの実施の形態２における実施例を図６および図７にて説明する。図６はこの発明の実施の形態２を示す空気調和機本体１の上下風向調整板６の中間支持構造を説明するための説明用分解図、図７は図６同様の上下風向調整板６の中間支持構造を説明するための説明用断面図である。図６および図７において、図１〜図５と同一の符号で示すものは、図１〜図５と同一もしくは同様な部品であり、また図６および図７に図示されていない他の部分は実施の形態１に示す空気調和機本体１と同じであり説明は省略する。この実施の形態２は、中間支持部３５における中間軸体１９の本体側支持体１６への固定に関して、その構成と方法が上記した実施の形態１と異なる。
【００７７】
図６および図７に示す中間支持部３５おいて、中間軸体１９は、規制片２０の一側からは中間軸２２が羽根側支持体１４の方向に延伸し、他側からは、本体側支持体１６の方向（中間軸２２が延伸する方向と反対方向）に中空状の固定軸２４が延伸する。固定軸２４と中間軸２２は同心である。固定軸２４の外径は、本体側支持体１６に形成され、この固定軸２４が嵌合する固定孔１６ｂの内径と同等かわずかに大きい径である。
【００７８】
図６、７においては、中間軸体１９の中間軸２２の外径と固定軸２４の外径が略等しくなっているが、両者を異なる径で形成してもよい。固定軸２４は中実の円柱であってもよく、また規制片２０の中心部に中間軸２２の中空部分の径と同等以下の径の穴を形成して、中間軸２２の中空と固定軸２４の中空を連通させてもよい。規制片２０は中間軸２２の径方向に中間軸２２および固定軸２４より外方に突出してれば、中間軸２２と同心でなくてもよく、また円板状でなく部分的に複数の板が外方に突出するように形成されたものであってもよい。規制片２０は本体側支持部１６と羽根側支持部１４の間に配置される。
【００７９】
この固定軸２４の規制片２０とは反対側となる突端近傍には、規制片２０と所定の距離を置いて掛かり壁２５が固定軸２４の径方向に固定軸２４の外周から外方へ突出するように一体的に形成されている。図６、７に示す掛かり壁２５は固定軸２４と同心の円板状であるが、固定軸２４より外方に突出してれば、固定軸２４と同心でなくてもよく、また円板状でなく部分的に複数の板が外方に突出するように形成されたものであってもよい。そして固定軸２４の掛かり壁２５と規制片２０の間の部位が固定孔１６ｂに嵌合される。
【００８０】
本体側支持体１６は、固定孔１６ｂを形成する外壁部１６ｄの一部が切欠かれており、固定孔１６ｂはＣ形形状となっている。その切欠き部１６ｃは、本体１の前面側に向いて切欠かれている。そして切欠かれた幅は、この固定孔１６ｂに嵌合する固定軸２４の外径より小さいものである。切欠き部１６ｃは固定孔１６ｂ内周面と本体側支持体１６の外面に臨み、固定孔１６ｂ内側と本体側支持体１６の外側を連通している。なお、実際に成形後の本体支持体１６を切欠いて切欠き部１６ｃを形成するのではなく、本体側支持体１６の成形時、すなわちノズル５の成形時に切欠き部１６ｃが形成されるように成形するものである。
【００８１】
固定軸２４の外径は固定孔１６ｂの内径と同等かわずかに大きい径であるので、固定軸２４が固定孔１６ｂに嵌合されると、固定軸２４外周面は固定孔１６ｂの内周面に密着する。そのため固定軸２４と固定孔１６ｂ間では回動を支持するための実質的な摺動がなされることはなく、上下風向調整板６の回動による摺動の支持は中間軸２２と軸受１４ａ間にて行われることになる。
【００８２】
なお、掛かり壁２５の端面（規制片２０側）と規制片２０の端面（固定軸２４側）の双方を本体支持体１６に密着させ、掛かり壁２５と規制片２０により本体支持体１６を上下風向調整板６の長手方向に挟持させるようにすれば本体支持体１６への中間軸体１９の固着力を増すことができる、しかし上記のように、固定軸２４の固定孔１６ｂへの嵌合による固定軸２４外周面と固定孔１６ｂ内周面との密着にて中間軸体１９は本体支持体１６への固定ができるので、掛かり壁２５と規制片２０端面間が本体側支持体１６に対して上下風向調整板６長手方向の隙間を有していてもよい。上記した掛かり壁２５と規制片２０との間に置いた所定の距離とはこのように、本体側支持体１６の厚さ（上下風向調整板６長手方向の幅）と同等かわずかに大きい距離を指す。
【００８３】
ここで実施の形態１同様に、図７に示すように本体側支持体１６の固定孔１６ｂや外壁部１６ｄの部分と、本体側支持体１６の固定孔１６ｂ部分と中間軸体１９の規制片２０および固定軸２４が配置されるようにして、本体側支持体１６に固定された中間軸体１９の中間軸２２が羽根側支持体１４の軸受１４ａに嵌合される。
【００８４】
なお、羽根側支持体１４の端面（規制板１７側）から規制板１７の端面（羽根側支持体１４側）までの距離（図５に示す寸法Ｍ）が、規制片２０の端面（中間軸２２側）から固定軸２４の突端までの距離（実施の形態１の図５に示す寸法Ｌに相当する距離）よりもわずかに大きい長さ（その長さの半分の距離だけ上下風向調整板６が上部吹出し口３１の左右どちらか一方に偏ったとしても、上下風向調整板６閉塞時の本体１外観上の見映えは悪くないと許容できるレベルの長さ）となるように中間軸体１９と上下風向調整板６をそれぞれ成形する。
【００８５】
図７に示す状態において、上下風向調整板６は、上下風向調整板６の長手方向の一方向には羽根側支持体１４の端面（規制板１７側）が、中間軸体１９の規制片２０の端面（中間軸２２側）に接触することで、また他方（上記の一方向と反対の方向）には、規制板１７の端面（羽根側支持体１４側）が、固定孔１６ｂより長手方向に突出した固定軸２４の突端に接触することで、長手方向の左右両方向への移動が規制される。なお、掛かり壁２５を固定軸２４の突端に設けてもよく、この場合は一方向には規制板１７の端面が固定軸２４の突端を含む掛かり壁２５の端面（反規制片２０側）に接触することで上下風向調整板６の移動が規制される。
【００８６】
実施の形態２のおける中間支持部３５の支持構造においても、上部吹出し口３１の外郭の一部を成すノズル５上に立設する本体側支持体１６に固定された中間軸体１９と、上下風向調整板６の腹側に立設する羽根側支持体１４および規制板１７によって、上下風向調整板６の長手方向の移動が規制されるので、上下風向調整板６の上部吹出し口３１に対する長手方向の位置決めがなされ、空気調和機本体１の外観上の見映えを良好な状態に維持することができる。
【００８７】
次にこの実施の形態２における中間支持部３５の組立方法を説明する。まず本体側支持体１６に中間軸体１９を固定するが、その方法は、中間軸体１９の規制片２０と掛かり壁２５の間の固定軸２４外周面を本体側支持体１６の切欠き部１６ｃに押し当て、そのまま固定孔１６ｂの中央に向かって押しつける。それにより固定軸２４の外周に沿って切欠き部１６ｃの幅が固定軸２４の外径まで拡大するように本体側支持体１６の固定孔１６ｂを形成する外壁部１６ｄが弾性変形し、固定軸２４が切欠き部１６ｃを通過することで、固定軸２４は切欠き部１６ｃから固定孔１６ｂにくわえ込まれるようにして収まり、固定孔１６ｂに嵌合される。
【００８８】
固定軸２４の固定孔１６ｂへの嵌合により、上記したように中間軸体１９は本体側支持体１６に固定される。その後の組立である上下風向調整板６の一端支持部３３と他端支持部３４の成立、中間支持部３５における中間軸体１９の中間軸２２と羽根側支持体１４の軸受１４ａの嵌合は、実施の形態１と同様であるのでここでの説明は省略する。
【００８９】
実施の形態２に示す中間支持部３５の組立方法において、中間軸体１９の本体側支持体１６への固定は、固定軸２４を側方から切欠き部１６ｃに人の手によりわずかな力を付与して押しつけるだけで、本体側支持体１６の固定孔１６ｂを形成する外壁部１６ｄの弾性変形を利用して容易に短時間で行うことができるので、組立作業性に優れる。
【００９０】
また人の手により固定孔１６ｂに固定軸２４を嵌合させる場合に、本体側支持体１６の弾性変形を利用しているため、作業者は固定軸２４が切欠き部１６ｃを通過して本体側支持体１６の外壁部１６ｄの弾性変形が緩和され、固定軸２４が固定孔１６ｂに嵌合された手応えを感じることができ、固定軸２４の固定孔１６ｂへの嵌合が完了したことを知ることができるので、確実に固定されていないにも係わらず次工程に進み、中間軸体１９が作業途中で外れたり抜け落ちたりしてしまうという不具合が回避できる信頼性の高い組立作業が可能となる。
【００９１】
中間軸２２と軸受１４ａの嵌合については、実施の形態１と同様であるので、実施の形態１と同様な効果が得られる。このように実施の形態２においても中間支持部３５の組立方法は、組立作業性に優れるとともに、中間軸体１９の外れや抜け落ちが発生したり、、中間軸２２の軸受１４ａへの嵌合ができていなかったりするという不具合が回避できる信頼性の高い組立作業が可能となる。
【００９２】
また実施の形態１と同様な手順で、上下風向調整板６を容易に本体１から取り外すことができるので、上下風向調整板６のメンテナンス性が向上でき、また上下風向調整板６全体や上部吹出し口３１内部を容易に清掃することができる。
【００９３】
続いて実施の形態２における中間支持部３５の動作について説明する。中間軸体１９は実施の形態１と同様に自己潤滑性のある低摩擦な樹脂により成形されているので、中間軸２２と軸受１４ａの摺動性がよく、上下風向調整板６が滑らかに回動できる。また摺動性がよいので、中間軸２２と軸受１４ａの摩耗が回避できる。
【００９４】
また移動の規制の範囲内で、たとえ上下風向調整板６が規制板１７の方向（図７において左方向）へ移動しても、中間軸体１９の規制片２０が本体側支持体１６と羽根側支持体１４との間に存在しており、羽根側支持体１４の端面が、低摩擦な自己潤滑性のある規制片２０の側面と接触するので、上下風向調整板６の回動によりその接触部が摺動しても回動の抵抗とはならず上下風向調整板６の円滑な摺動は保障される。また羽根側支持体１４と規制片２０の摩耗も回避できる。
【００９５】
同様にその規制の範囲内で、たとえ上下風向調整板６が上記とは逆方向となる羽根側支持体１４の方向（図７において右方向）へ移動しても、規制板１７の端面が、低摩擦な自己潤滑性のある固定軸２４の突端と接触するので、上下風向調整板６の回動によりその接触部が摺動しても回動の抵抗とはならず上下風向調整板６の円滑な摺動は保障される。また規制板１７と固定軸２４突端の摩耗も回避できる。そして中間軸体１９が規制板１７に羽根側支持体１４側へ押されても掛かり壁２５が本体支持体１６に接触し中間軸体１９の移動を規制するので、規制板１７と本体側支持体１６が接触してしまうことはない。
【００９６】
実施の形態２における中間支持部３５の支持構造は以上のように構成されているので、上下風向調整板６が円滑に回動できるとともに、信頼性の高い組立作業性が容易に短時間でできる。また上下風向調整板６の上部吹出し口３１に対する長手方向の位置決めができて空気調和機本体１の外観上の見映えを良好な状態に維持することができる効果が得られる。
【００９７】
実施の形態１および実施の形態２に示した空気調和機の本体１は、床置き式の室内機であったが、床置き式に限らず壁掛け式や天吊式や天井埋込み式の空気調和機であっても上下風向調整板６を実施の形態１もしくは実施の形態２と同様な構成で支持すれば同様な効果が得られる。
【００９８】
上記の本体１は、上部吹出し口３１と下部吹出し口３２と２つの吹出し口を備えているが、上下風向調整板を備えた吹出し口を１つだけ備える空気調和機（例えば壁掛け式など）に本発明の支持構造を適用してもよく、また上下風向調整板を備えた吹出し口を複数備える空気調和機（例えば天井埋め込み式など４方向に吹出し口を備えるもの）に本発明の支持構造を適用してもよく、同様な効果が得られる。
【００９９】
実施の形態１および実施の形態２においては、中間軸体１９を自己潤滑性のある摺動性のよい低摩擦な樹脂で成形したが、自己潤滑性がない樹脂での成形や他の材料による加工品であっても、中間支持部３５において、信頼性の高い組立作業性が容易に短時間でできる効果と、上下風向調整板６の上部吹出し口３１に対する長手方向の位置決めができて空気調和機本体１の外観上の見映えを良好な状態に維持することができる効果は得られる。なお、中間軸体１９を樹脂で一体成形することで、複雑な形状であっても容易に製作でき、また固定片２１の弾性変形が得やすくなる。
【０１００】
上記の本体１は上部吹出し口３１の前後に２枚の上下風向調整板６を備えたが、吹出し口に１枚だけ上下風向調整板を設置するものであってもよい。また本発明の中間支持部を複数設けて上下風向調整板を支持するようにしてもよい。また上記の本体１は、本体側支持体１６をノズル５上に一体的に成形したが、ノズル上に限定されるものではなく、吹出し口の外郭を成す部品、あるいは吹出し口の外郭を成すものでなくても、吹出し口の近傍に配置される部品に、適切な位置で設ければよい。例えば本体が壁掛け式のものであれば、吹出し口は熱交換器の下部に設置されるので、ドレンパンの下面に設けるのがよい。また本体側支持体１６を他の樹脂部品に一体的に成形しなくとも、別体で形成して適切なる箇所へ固定するように構成してもよい。
【０１０１】
なお、実施の形態１において、中間軸体１９が規制板１７によって羽根側支持体１４側へ押されても爪部２３により中間軸体１９の移動を規制し、規制板１７と本体側支持体１６の接触を回避するようにしたが、固定片２１と固定孔１６ａとの嵌合をよりきつくして中間軸体１９を本体側支持体１６へ固定することで、中間軸体１９が規制板１７によって羽根側支持体１４側へ押されても中間軸体１９が上下風向調整板６の長手方向に移動できないようにすることで、爪部２３を省くこともできる。なお、固定片２１と固定孔１６ａの嵌合をきつくしても、固定片２１を固定孔１６に挿入の際に、固定片２１を内側に弾性変形させることで、容易に嵌合できる。
【０１０２】
なお、上記の実施の形態では、本体側支持体１６の固定孔１６ａ、１６ｂの中心は上下風向調整板６の回動中心と同心としていたが、固定孔１６ａ、１６ｂの中心は上下風向調整板６の回動中心とずらしてもよい。すなわち本体側支持体１６の固定孔１６ａ、１６ｂを羽根側支持体１４の軸受１４ｂと同心とせずに偏心させ、その偏心した固定孔１６ａ、１６ｂと軸受１４ｂにそれぞれ嵌合できるように、中間軸体１９の複数の固定片２１もしくは固定軸２４を中間軸２２から偏心させてもよい。ただし軸受１４ａの中心は上下風向調整板６の回動中心とする。
【０１０３】
なお、上記の実施の形態においては、上部吹出し口３１が地面に対して水平方向に形成され、その上部吹出し口３１に上下風向調整板６がその長手方向が同じ水平方向となるように配置されるものであるが、地面に対して垂直方向に形成される吹出し口に、長手方向が垂直方向となるように配置される風向調整板に本発明を適用しても同様な効果が得られる。
【図面の簡単な説明】
【０１０４】
【図１】この発明の実施の形態１を示す空気調和機本体の斜視図である。
【図２】図１に示す空気調和機の要部斜視図である。
【図３】図１に示す空気調和機の縦断面図である。
【図４】この発明の実施の形態１を示す空気調和機の上下風向調整板の中間支持構造を説明するための説明用分解図である。
【図５】この発明の実施の形態１を示す空気調和機の上下風向調整板の中間支持構造を説明するための説明用断面図である。
【図６】この発明の実施の形態２を示す空気調和機の上下風向調整板の中間支持構造を説明するための説明用分解図である。
【図７】この発明の実施の形態２を示す空気調和機の上下風向調整板の中間支持構造を説明するための説明用断面図である。
【符号の説明】
【０１０５】
１  空気調和機本体、２  熱交換器、３  送風機、４  ケーシング、５  ノズル、６  吸入室、７  左右風向調整ベーン、８  ドレンパン、９  ファンガード、１０  エアーフィルター、１１  吸込みグリル、１２  前面パネル、１３  シャッター  １４  羽根側支持体、１４ａ  軸受、１４ｂ  軸受切欠き部、１６  本体側支持体、１６ａ、１６ｂ  固定孔、１６ｃ  切欠き部、１６ｄ  外壁部、１７  規制板、１９  中間軸体、２０  規制片、２１  固定片、２２  中間軸、２３  爪部、２４  固定軸、２５  掛かり壁、３０  吸込み口、３１  上部吹出し口、３２  下部吹出し口、３３  一端支持部、３４  他端支持部、３５  中間支持部。
【図１】
2008261564.tif 000003
【図２】
2008261564.tif 000004
【図３】
2008261564.tif 000005
【図４】
2008261564.tif 000006
【図５】
2008261564.tif 000007
【図６】
2008261564.tif 000008
【図７】
2008261564.tif 000009